(57)【特許請求の範囲】
【請求項１】
内部に高圧が形成されるケーシング（２）と、
該ケーシング（２）の内部下方向に装着されてクランクシャフト（６）が挿入されて駆動力を発生する駆動部（４）と、
前記クランクシャフト（６）の上方に該クランクシャフト（６）と偏心して係合される旋回スクロール（２６）と、該旋回スクロール（２６）間に圧縮室（３２）を形成する固定スクロール（２２）と、から構成されて流体の圧縮作用を行う圧縮部（８）と、
該圧縮部（８）の旋回スクロール（２６）と前記クランクシャフト（６）間に挿入されて、前記圧縮室（３２）に非圧縮性物質が流入されると、前記旋回スクロール（２６）を前記スクロール（２２）から離隔させる順応手段と、を包含して構成され、
上記順応手段は、上記旋回スクロール（２６）の下面に穿成されたボス（３４）の内周面に回転可能に挿入されて、中央には前記クランクシャフト（６）の偏心部（１６）がスライディング移動可能に挿入されるスロット（４２）が穿孔形成された順応部材（４０）から構成され、
上記順応部材（４０）の下面の外方側には、前記クランクシャフト（６）の偏心部（１６）が切削形成される境界部の上面に密着されるリブ（６０）が突成されることを特徴とするスクロール圧縮機。
【請求項２】
内部に高圧が形成されるケーシング（２）と、
該ケーシング（２）の内部下方向に装着されてクランクシャフト（６）が挿入されて駆動力を発生する駆動部（４）と、
前記クランクシャフト（６）の上方に該クランクシャフト（６）と偏心して係合される旋回スクロール（２６）と、該旋回スクロール（２６）間に圧縮室（３２）を形成する固定スクロール（２２）と、から構成されて流体の圧縮作用を行う圧縮部（８）と、
該圧縮部（８）の旋回スクロール（２６）と前記クランクシャフト（６）間に挿入されて、前記圧縮室（３２）に非圧縮性物質が流入されると、前記旋回スクロール（２６）を前記スクロール（２２）から離隔させる順応手段と、を包含して構成され、
上記順応手段は、上記旋回スクロール（２６）の下面に穿成されたボス（３４）の内周面に回転可能に挿入されて、中央には前記クランクシャフト（６）の偏心部（１６）がスライディング移動可能に挿入されるスロット（４２）が穿孔形成された順応部材（４０）から構成され、
上記順応部材（４０）の下面の内方側には、上記クランクシャフト（６）の偏心部（１６）が切削形成される境界部の上面に密着されるリブ（６２）が突成されることを特徴とするスクロール圧縮機。
【請求項３】
内部に高圧が形成されるケーシング（２）と、
該ケーシング（２）の内部下方向に装着されてクランクシャフト（６）が挿入されて駆動力を発生する駆動部（４）と、
前記クランクシャフト（６）の上方に該クランクシャフト（６）と偏心して係合される旋回スクロール（２６）と、該旋回スクロール（２６）間に圧縮室（３２）を形成する固定スクロール（２２）と、から構成されて流体の圧縮作用を行う圧縮部（８）と、
該圧縮部（８）の旋回スクロール（２６）と前記クランクシャフト（６）間に挿入されて、前記圧縮室（３２）に非圧縮性物質が流入されると、前記旋回スクロール（２６）を前記スクロール（２２）から離隔させる順応手段と、を包含して構成され、
上記順応手段は、上記旋回スクロール（２６）の下面に穿成されたボス（３４）の内周面に回転可能に挿入されて、中央には前記クランクシャフト（６）の偏心部（１６）がスライディング移動可能に挿入されるスロット（４２）が穿孔形成された順応部材（４０）から構成され、
上記順応部材（４０）の下面と前記クランクシャフト（６）の上面間には、シーリング部材（６６）が挿入されることを特徴とするスクロール圧縮機。
【請求項４】
上記順応部材（４０）の下面には、上記シーリング部材（６６）が挿入される挿入溝（６８）が切削形成されることを特徴とする請求項３に記載のスクロール圧縮機。
【請求項５】
上記クランクシャフト（６）の上面には、上記シーリング部材（６６）が挿入される挿入溝（６８）が切削形成されることを特徴とする請求項３記載のスクロール圧縮機。
【請求項６】
上記シーリング部材（６６）は、テフロン（登録商標）の材質にて形成されることを特徴とする請求項３記載のスクロール圧縮機。
【請求項７】
上記クランクシャフト（６）は、長さ方向中央にオイル流路（１８）が穿孔形成されて、上部に前記クランクシャフト（６）の断面積に比べて小さい断面積を有するように縮小された偏心部（１６）が延長して形成され、
上記クランクシャフトの偏心部（１６）は、該偏心部（１６）が前記旋回スクロール（２６）のボス（３４）に挿入できるように、クランクシャフト（６）の上面から所定高さの段を有するように上面方向に長く延長形成され、
クランクシャフト（６）の上面から所定高さの段を有するように上面方向に長く延長形成され、その長く延長された部分の断面は左右側が相互対向して湾曲され、上下側は相互対向して平行する直線部（４６）が形成されることを特徴とする請求項１から６のいずれかに記載のスクロール圧縮機。
【請求項８】
上記順応手段は、上記旋回スクロール（２６）の下面に穿成されたボス（３４）の内周面に回転可能に挿入されて、中央には前記クランクシャフト（６）の偏心部（１６）がスライディング移動可能に挿入されるスロット（４２）が穿孔形成された順応部材（４０）から構成されることを特徴とする請求項７記載のスクロール圧縮機。
【請求項９】
上記順応部材（４０）のスロット（４２）は、上記クランクシャフト（６）の偏心部（１６）の外周直線部が直線方向にスライディング可能に挿入されて、前記クランクシャフト（６）の偏心部（１６）が所定距離直線方向にスライディング移動し得るように前記偏心部（１６）の直線部（４６）に対応する直線部（４６ａ）が形成されることを特徴とする請求項７記載のスクロール圧縮機。
【請求項１０】
上記順応手段は、上記旋回スクロール（２６）の下面に穿成されたボス（３４）の内周面に回転可能に挿入されて、中央には前記クランクシャフト（６）の偏心部（１６）がスライディング移動可能に挿入されるスロット（４２）が穿孔形成された順応部材（４０）から構成され、
上記順応部材（４０）の外周面と前記旋回スクロール（２６）のボス（３４）の内周面間にはシーリング（５０）が挿入されることを特徴とする請求項１から６のいずれかに記載のスクロール圧縮機。
【請求項１１】
上記クランクシャフト（６）の断面積は、上記順応部材（４０）の外径部の面積と同様であることを特徴とする請求項１０記載のスクロール圧縮機。
【請求項１２】
上記クランクシャフト（６）の前記偏心部（１６）が切削形成し始まる境界部の上面には、外方側に所定径を有するフランジ部（５６）が拡大形成されることを特徴とする請求項１０に記載したスクロール圧縮機。
【請求項１３】
上記順応部材（４０）の内周面とクランクシャフト（６）の偏心部（１６）の外周面間には弾性体（７６）の両方端が夫々挿入されて係止されることを特徴とする請求項１から６のいずれかに記載のスクロール圧縮機。
【請求項１４】
上記弾性体（７６）は、コイルスプリングであることを特徴とする請求項１３記載のスクロール圧縮機。
【請求項１５】
上記順応手段は、上記旋回スクロール（２６）の下面に形成されたボス（３４）に回転可能に挿入されて、上記クランクシャフト（６）の偏心部が挿入されるように中心の一方側に偏心される偏心ホール（８２）が穿孔形成された順応部材から構成されることを特徴とする請求項１から６のいずれかに記載のスクロール圧縮機。
【請求項１６】
上記クランクシャフトの偏心部は、上記クランクシャフトの上面から偏心されて下方向に延長されたリング状に形成されることを特徴とする請求項１５記載のスクロール圧縮機。
【請求項１７】
上記順応部材（４０）は、上記ボス（３４）の内周面に回転自在に挿入されるリング状に形成されて、その中央から所定距離だけ偏心された地点に前記クランクシャフトの中心が位置されることを特徴とする請求項１５記載のスクロール圧縮機。
【発明の詳細な説明】
【０００１】
【発明の属する技術分野】
本発明は、スクロール圧縮機に係るもので、詳しくは、圧縮室の旋回方向に作用する流体の容積変化に適切に対応することで、スクロールの破損を防止して信頼性を向上し得るスクロール圧縮機に関するものである。
【０００２】
【従来の技術】
一般に、スクロール圧縮機は、一対の固定スクロール及び旋回スクロールにより形成される圧縮室の容積を変化させて流体を圧縮する圧縮機であって、往復動式圧縮機及びロータリ圧縮機に比べて効率が高くて振動及び騷音が低く、小型軽量化が可能であるために、近来、その使用領域が拡大されつつある。
【０００３】
そして、従来のスクロール圧縮機においては、図１２及び図１３に示したように、流体が吸入される吸入管１０２が上方向に連結され、圧縮された流体が吐出される吐出管１０４が側面に連結されて密閉した空間を有するケーシング１０６と、該ケーシング１０６の内部下方向に装着されて駆動力を発生する駆動部１０８と、前記ケーシング１０６の内部上方向に装着されて、前記駆動部１０８及び後述するクランクシャフト１１０に連結されることで流体の圧縮作用を行う圧縮部１１２と、を包含して構成されていた。
【０００４】
且つ、上記駆動部１０８は、上記ケーシング１０６の内周面に固定された固定子１１４と、該固定子１１４の内周面に回動自在に挿入された回転子１１６と、該回転子１６の内部に回動自在に挿入されたクランクシャフト１１０と、から構成されて、前記固定子１１４に電源が印加されると、該固定子１１４と回転子１１６との相互作用により前記クランクシャフト１１０が回動される。
【０００５】
又、上記圧縮部１１２は、インボリュート形状の固定ラップ１１８が複数形成されて、上記吸入管１０２が連結されることで、上記ケーシング１０６内部の上方向壁面に吐出孔１４２を有して固定された固定スクロール１２０と、前記固定ラップ１１８間に夫々圧縮室１２６を有するように前記固定ラップ１１８と対応されるインボリュート状の旋回ラップ１２２が複数形成されることで、上記クランクシャフト１１０に偏心して連結されて旋回運動を行う旋回スクロール１２４と、を包含して構成されている。
【０００６】
又、上記クランクシャフト１１０は、上記ケーシング１０６の内部上方向壁に固定されたメインフレーム１２８に回動自在に支持され、前記クランクシャフト１１０の上部には前記旋回スクロール１２４のボス１３０に挿入されて上記旋回スクロール１２４を旋回運動させる偏心部１３２が形成されることで、前記ケーシング１０６の下部に充満されたオイルが吸入され、前記旋回スクロール１２４と偏心部１３２間の摩擦部に供給されるオイル流路１３４が切削形成されている。
【０００７】
又、上記メインフレーム１２８と旋回スクロール１２４間には、圧縮された流体が出入されて吸入圧と吐出圧との中間程度の圧力が形成される背圧室１３６が形成され、前記旋回スクロール１２４の下面には該旋回スクロール１２４の自転を防止するためのオールダムリング１３８が装着されている。
又、上記クランクシャフト１１０の偏心部１３２と旋回スクロール１２４のボス１３０間には、上記オイル流路１３４に吸入されたオイルが背圧室１３６に流出されることを防止するシーリング１４０が挿入されている。
【０００８】
以下、このように構成された従来のスクロール圧縮機の動作に対して、説明する。先ず、上記駆動部１０８に電源が印加されると、上記回転子１１６と連結されたクランクシャフト１１０が回転されることで、上記偏心部１３２が回転されながら上記旋回スクロール１２４が旋回運動を行い、よって、上記吸入管１０２を通って上記圧縮室１２６に流入された流体は、前記旋回スクロール１２４の旋回運動により上記圧縮室１２６の中心部に移動しながら圧縮されて、該圧縮された流体は、上記固定スクロール１２０の吐出口１４２を通ってケーシング１０６の内部に吐出される。次いで、上記吐出口１４２から吐出された高圧状態の流体は、上記ケーシング１０６の側面に連結された上記吐出管１０４を通って外部に吐出される。
【０００９】
一方、上記ケーシング１０６の内部に吐出された高圧状態の流体が上記ケーシング１０６の下部に貯蔵されたオイルを加圧すると、該加圧されたオイルは、上記オイル流路１３４を沿って上記旋回スクロールのボス１３０と上記偏心部１３２間に供給されて潤滑作用を行うことで、上記旋回スクロール１２４を上方向に加圧して上記各旋回ラップ１２２と上記各固定ラップ１１８間の密着状態を維持させる。
【００１０】
且つ、上記偏心部１３２の横断面積と上記クランクシャフト１１０の横断面積とを同様に形成することで、前記クランクシャフト１１０に軸方向の荷重が発生しないようにし、上記偏心部１３２を下方向に加圧するオイルの圧力と上記クランクシャフト１１０を上方向に加圧する流体圧力とを同様にさせることで、前記クランクシャフト１１０には軸方向荷重が作用しないようにする。
【００１１】
【発明が解決しようとする課題】
然るに、このような従来のスクロール圧縮機においては、クランクシャフトの横断面積と偏心部の横断面積とが同様に形成されているが、旋回スクロールが円周方向に移動することができないために、圧縮動作中、非圧縮性流体が包含された液体状態の冷媒、オイル又は異質物が圧縮室に流入されて圧縮室の内部圧力が非正常的に上昇すると、圧縮室の容積が可変されないので、旋回スクロールの旋回ラップ及び固定スクロールの固定ラップが破損されることで、駆動部又はクランクシャフトに捩れ応力が集中されるという不都合な点があった。
【００１２】
本発明は、このような従来の課題に鑑みて成されたもので、クランクシャフトの偏心部と旋回スクロール間で、旋回スクロールを旋回円周方向に移動し得るようにし、非圧縮性流体が流入して圧縮室の容積が変化しても適切に対応することで、スクロールの破損を防止して圧縮機の信頼性を向上し得るスクロール圧縮機を提供することを目的とする。
【００１３】
【課題を解決するための手段】
このような目的を達成するため、本発明に係るスクロール圧縮機においては、内部に高圧が形成されるケーシングと、該ケーシングの内部下方向に装着されてクランクシャフトが挿入連結されて駆動力を発生する駆動部と、前記クランクシャフトの上方に該クランクシャフトと偏心して係合される旋回スクロールと、該旋回スクロール間に圧縮室を形成する固定スクロールから構成されて、流体の圧縮作用を行う圧縮部と、該圧縮部の旋回スクロールと前記クランクシャフト間に挿入されて、前記圧縮室に非圧縮性物質（例えば、潤滑油）が流入されると、前記旋回スクロールを前記固定スクロールから離隔させる順応手段と、を包含して構成されることを特徴とする。
【００１４】
又、本発明に係るスクロール圧縮機のクランクシャフトは、長さ方向中央にオイル流路が穿孔形成されて、上部に前記クランクシャフトの断面積に比べて小さい断面積を有するように縮小された偏心部が延長して形成されることを特徴とする。
又、本発明に係るスクロール圧縮機の順応手段は、上記旋回スクロールの下面に形成されたボスの内周面に回転可能に挿入されて中央には上記クランクシャフトの偏心部がスライディング移動可能に挿入されるスロットが穿孔形成される順応部材から構成されることを特徴とする。
【００１５】
又、本発明に係るクランクシャフトの偏心部は、該偏心部が前記旋回スクロールのボスに挿入されたとき、所定高さの段を有するように、上面方向に長く延長されて、その延長された部分の断面は左右側の対向方向に湾曲され、上下対向方向には相互平行する直線部が形成されることを特徴とする。
又、本発明に係る順応部材のスロットは、上記クランクシャフトの偏心部の外周直線部が直線方向にスライディング可能に挿入されて、前記クランクシャフトの偏心部が所定距離直線方向にスライディング移動されるように前記偏心部の直線部に対応する直線部が形成されることを特徴とする。
【００１６】
又、本発明に係るスクロール圧縮機の順応部材の外周面と上記旋回スクロールのボスの内周面間にはシーリングが挿入されることを特徴とする。
又、本発明に係るスクロール圧縮機のクランクシャフトの断面積は、上記順応部材の外径断面積と同様であることを特徴とする。
又、本発明に係るスクロール圧縮機のクランクシャフトの上面には、外方側に所定径を有するフランジ部が突成されることを特徴とする。
又、本発明に係るスクロール圧縮機の順応部材の下面の外方側に上記クランクシャフトの上面と密着されるリブが突成されることを特徴とする。
【００１７】
又、本発明に係るスクロール圧縮機の順応部材の下面の内方側に上記クランクシャフトの上面と密着されるリブが突成されることを特徴とする。
又、本発明に係るスクロール圧縮機の順応部材４０の下面と上記クランクシャフトの上面間にはシーリング部材が挿入されることを特徴とする。
又、本発明に係るスクロール圧縮機の順応部材の下面には、上記シーリング部材が挿入されるための挿入溝が切削形成されることを特徴とする。
又、本発明に係るスクロール圧縮機の順応部材の下面と前記クランクシャフトの上面間には、上記シーリング部材が挿入されることを特徴とする。
【００１８】
又、本発明に係るスクロール圧縮機のシーリング部材はテフロン（登録商標）材質にて形成されることを特徴とする。
又、本発明に係るスクロール圧縮機の順応部材の内周面とクランクシャフトの偏心部の外周面間には弾性体が挿入されて、その両方端が夫々係止されることを特徴とする。
又、本発明に係るスクロール圧縮機の弾性体は、コイルスプリングであることを特徴とする。
【００１９】
又、本発明に係るスクロール圧縮機の順応手段は、上記旋回スクロールの下面に形成されたボスに回転可能に挿入されて、上記クランクシャフトの偏心部が挿入されるように中心の一方側に偏心される偏心ホールが穿孔形成された順応部材から構成されることを特徴とする。
又、本発明に係るクランクシャフトの偏心部は、上記クランクシャフトの上面から偏心されて下方向に延長されたリング状に形成されることを特徴とする。
又、本発明に係るスクロール圧縮機の順応部材は、上記ボスの内周面に回転可能に挿入されるリング状に形成され、その中央から所定距離だけ偏心された地点に前記クランクシャフトの中心が位置されることを特徴とする。
【００２０】
【発明の実施の形態】
以下、本発明の実施の形態に対し、図面を用いて説明する。
本発明に係るスクロール圧縮機においては、図１乃至図３に示したように、内部に高圧が形成されるケーシング２と、該ケーシング２の内部下方向に装着されて駆動力を発生する駆動部４と、該駆動部４及びクランクシャフト６に連結されて、前記駆動部４が駆動によって流体の圧縮作用を行う圧縮部８と、を包含して構成されている。
又、上記ケーシング２は、内部に高圧が形成される密閉容器であって、上方向には流体が吸入される吸入管２８が連結されて、側壁面一方側には圧縮された流体が排出される吐出管３０が連結されている。
【００２１】
又、上記駆動部４は、上記ケーシング２の内周壁面に固定された固定子１０と、該固定子１０の内周面に挿入されて上記クランクシャフト６が係合された回転子１２と、から構成されて、前記固定子１０に電源が印加されると、該固定子１０と回転子１２との相互作用により前記クランクシャフト６が回動される。
又、上記クランクシャフト６は、上記ケーシング２の内部に固定されたメインフレーム１４に回動自在に支持されて、上方向には偏心部１６が形成されて、軸方向中心にケーシング２の下部に貯蔵されたオイルを圧縮機内部の摩擦部に供給するオイル流路１８が穿孔形成されている。
【００２２】
又、上記圧縮部８は、上部にインボリュート状の複数の固定ラップ２０を有して、上記ケーシング２の内部に固定されることで一方側に前記吸入管２８が連結される固定スクロール２２と、前記固定ラップ２０間に圧縮室３２が形成されるように前記固定ラップ２０と対応する複数のインボリュート状の旋回ラップ２４を有して、下面に上記クランクシャフトの偏心部１６が挿入されるボス３４が形成された旋回スクロール２６と、を包含して構成されている。
【００２３】
又、上記固定スクロール２２の中央には、上記固定ラップ２０と旋回ラップ２４間の圧縮室３２の容積変化により圧縮された流体が上記ケーシング２の内部に排出される排出ホール３６が穿孔形成されることで、前記旋回スクロール２６とメインフレーム１４間の空間には、前記圧縮室３２の流体が出入して吸入圧と吐出圧との中間程度の圧力を維持する背圧室３８が形成されている。
【００２４】
又、上記旋回スクロール２６のボス３４の内周面と上記クランクシャフト６の偏心部１６の外周面間には、上記圧縮室３２に液状冷媒、オイル又は異質物のような非圧縮性流体が流入される場合、前記旋回スクロール２６が円周方向に移動されるように順応手段としての順応部材４０が挿入されている。
又、該順応部材４０は、上記旋回スクロール２６のボス３４の内周面に回動自在に挿入されて、中央に上記クランクシャフトの偏心部１６がスライディング可能に挿合されるスロット４２が穿孔形成されている。
【００２５】
又、上記クランクシャフトの偏心部１６は、上記クランクシャフト６の断面積に比べて小さい断面積を有するように前記クランクシャフト６の上面から下方向に延長形成されて、その延長された長さ方向に両方側が平行に切欠された形態の直線部４６が切削形成されている。且つ、それら直線部４６が切削形成された上記クランクシャフト６の境界上面には、上記偏心部１６が切削された部位の外周面に段部４４が形成されることで、動作の際、その段部４４に前記順応部材４０が密着されるようになっている。
【００２６】
又、上記順応部材４０のスロット４２は、上記偏心部１６に沿って直線移動するように両方側が直線状に切削形成されるが、そのスロット４２の長さは、上記旋回スクロール２６が外周方向に移動される移動量を確保し得る長さを有している。
又、上記順応部材４０の高さは、上記偏心部１６の延長された長さと同様又はやや小さく形成されて下面が上記クランクシャフトの段部４４に密着される。即ち、上記オイル流路１８を通ってオイルが圧入されると、上記順応部材４０を下方向に押さえて、該順応部材を押さえるオイルの圧力により前記順応部材４０の下面が上記クランクシャフト６の段部４４に密着された状態を維持することで、前記オイル流路１８に供給されたオイルが上記背圧室３８に漏洩されることを防止させる。
【００２７】
又、上記順応部材４０の外周面と前記旋回スクロール２６のボスの内周面間には密閉用のベアリング部材５０が嵌合されることで、上記ボス３４と順応部材４０間のオイルの漏洩を防止させる。
且つ、上記クランクシャフト６に軸方向荷重が作用しないように前記クランクシャフト６の断面積と上記順応部材４０の外径面積とが同様に形成される。即ち、上記ケーシング２の内部に作用する高圧状態の流体により上記クランクシャフト６が上方向に押される押力と、上記オイル流路１８に吐出されるオイルの圧力により上記偏心部１６及び順応部材４０を下方向に押す押力とが相互相殺されることで、前記クランクシャフト６に軸方向荷重が作用することが防止される。
【００２８】
以下、上記のように構成される本発明に係るスクロール圧縮機の動作に対して説明する。
先ず、上記駆動部４に電源が印加されると、上記回転子１２と一緒にクランクシャフト６が回転し、上記偏心部１６が偏心された状態に回転すると、該偏心部１６に軸方向移動可能に装着された上記順応部材４０が回転し、該順応部材４０の回転運動によって上記旋回スクロール２６が旋回運動する。次いで、上記旋回スクロール２６の旋回運動によって、上記吸入管２８を通って上記圧縮室３２に流入された流体が旋回ラップ２４と固定ラップ２０間の容積変化により圧縮されながら排出ホール３６を通って上記ケーシング２の内部に吐出され、該ケーシング２の内部に吐出された流体が上記吐出管３０を通って外部に吐出される。この時、上記順応部材４０は、上記偏心部１６の遠心力により該偏心部１６の直線部４６に沿って遠心力方向に移動して上記旋回ラップ２４と固定ラップ２０間の間隔を一定に維持させる。
【００２９】
次いで、上記ケーシング２の内部に吐出された高圧状態の流体が前記ケーシング２の下方向に貯蔵されたオイルを加圧すると、該オイルは上記オイル流路１８に沿って上記偏心部１６の上面に吐出されて摩擦部の潤滑作用を行う。この時、上記吐出されるオイルの圧力は流体の圧力と同様である。
又、上記偏心部１６の上面に吐出される高圧状態のオイルが前記偏心部１６及び順応部材４０の上面に作用して前記偏心部１６及び順応部材４０を下方向に加圧するが、上記ケーシング２の内部には流体の圧力が作用するために、上記クランクシャフト６を上方向に加圧させるようになると、上記偏心部１６及び順応部材４０を押す押力と前記クランクシャフト６を押す押力とが相互相殺されることで、前記クランクシャフト６の軸方向の作用力の発生が防止される。
【００３０】
即ち、上記偏心部１６と順応部材４０との断面積の合算値と上記クランクシャフト６の断面積とが同様で、上記オイルの圧力と流体の圧力とが同様であるために、前記クランクシャフト６の上方向及び下方向に作用する荷重が相互同様になって、前記クランクシャフト６は軸方向の力を受けなくなる。
又、上記順応部材４０は、オイルの圧力により下方向に力を受けて、上記クランクシャフト６の段部４４に密着されるため、前記順応部材４０と偏心部１６間にオイルが漏洩されることが防止され、前記順応部材４０とボス３４間に嵌合されたシーリング５０により前記順応部材４０とボス３４間からオイルの漏洩が防止される。
【００３１】
このような正常な圧縮機駆動中、非圧縮性物質の液体状の冷媒、オイル及び異質物が圧縮室３２に流入されると、上記圧縮室３２の容積変化が発生されて、上記旋回スクロール２６が前記圧縮室３２の容積変化に相応するように円周方向に直線移動される。
即ち、非圧縮性流体の流入により上記圧縮室３４に作用する圧力が正常値以上に大きくなると、上記旋回スクロール２６に円周方向に直線移動される力が作用して、上記順応部材４０のスロット４２が上記偏心部１６の円周方向にスライディング移動されながら前記旋回スクロール２６の円周方向直線移動が可能になる。
【００３２】
又、本発明に係るスクロール圧縮機の第２実施形態として、図４に示したように、上記クランクシャフト６の偏心部１６を切削して形成し始める原の太い部の外周面から所定長さ外側にフランジ部５６を拡大形成し、このように拡大された前記フランジ部５６の上面に順応部材４０が挿入される旋回スクロール２６のボス３４を形成し、その他は第１実施形態と同様に構成することで、オイルの漏洩を一層效果的に防止することができる。
又、本発明に係るスクロール圧縮機の第３実施形態として、図５に示したように、上記クランクシャフト６のフランジ部５６に接触される上記順応部材４０の下面の外周面に所定幅及び高さを有するほぼ環状のリブ６０を形成し、その他は第１実施形態と同様に構成することもできる。
【００３３】
即ち、上記順応部材４０の下面とクランクシャフト６のフランジ部５６の上面とは相互接触して密封しなければならないために加工をするときは、精密研削加工を必要とするが、前記フランジ部５６の上面を研削する時、上記偏心部１６の干渉により加工時間が長くかかって、加工費用が上昇するので、前記順応部材４０の下面外周縁にリブ６０を突成し、前記フランジ部５６の上面中、前記リブ６０と接触される部位のみを精密研削加工すれば良いので、加工時間を低減して原価を節減することができる。
【００３４】
又、本発明に係るスクロール圧縮機の第４実施形態として、図６に示したように、上記クランクシャフト６のフランジ部５６に接触される順応部材４０の下面から所定幅及び高さを有して突成されるリブ６２を突成し、その他は第１実施形態と同様に構成することもできる。
又、本発明に係るスクロール圧縮機の第５実施形態として、図７に示したように、上記クランクシャフト６のフランジ部５６の上面と順応部材４０の下面間にシーリング部材６６を係合することで、上記オイル流路１８を通って上記偏心部１６の上面に圧入されるオイルが上記背圧室３８に漏洩されることを防止するように構成し、その他は第１実施形態と同様に構成することもできる。
【００３５】
即ち、該シーリング部材６６は、リングタイプのテフロン（登録商標）材質を用い、該シーリング部材６６を装着するためにそのシーリング部材６６に対応する上記順応部材４０の下面には挿入溝６８が切削形成される。
又、本発明に係るスクロール圧縮機の第６実施形態として、図８に示したように、上記クランクシャフト６のフランジ部５６の上面の周囲方向に環状の挿入溝７２を切削形成し、該挿入溝７２にテフロン（登録商標）材質のシーリング部材７０を挿入して、その他は第１実施形態と同様に構成することもできる。
【００３６】
又、本発明に係るスクロール圧縮機の第７実施形態として、上記順応部材４０の内周面と上記クランクシャフト６の偏心部１６の外周面間に弾性体７６として、コイルスプリングを挿入して、該コイルスプリングの先方両方端をそれら順応部材４０及び偏心部１６の周面に係止させることで、前記順応部材４０がスライディング移動された後、元の状態に復帰される弾性力を附与させ、その他は第１実施形態と同様に構成することもできる。
【００３７】
又、本発明に係るスクロール圧縮機の第８実施形態として、図１０及び図１１に示したように、上記旋回スクロール２６のボス３４の内部に回転可能に挿入される環状の順応部材８０と、該順応部材８０の中心から何れ一方に偏心して穿孔形成された偏心ホール８２と、該偏心ホール８２に回転可能に挿入される円筒状の偏心部８４と、を包含して構成し、その他は第１実施形態と同様に構成することもできる。
【００３８】
又、このように構成される本発明に係るスクロール圧縮機の第８実施形態の動作は、上記クランクシャフト６が回転すると、上記偏心部８４が偏心された状態で回転されることで、上記順応部材８０が回転されながら上記旋回スクロール２６が旋回運動する。この時、上記旋回スクロール２６が円周方向に直線移動すると、上記順応部材８０が偏心ホール８２を中心に回転されながら円周方向に直線移動する。
【００３９】
【発明の効果】
以上説明したように、本発明に係るスクロール圧縮機においては、クランクシャフトの偏心部と旋回スクロールのボス間に前記旋回スクロールの円周方向直線移動を可能にする順応部材を係合し、圧縮室に非圧縮性流体の液状冷媒、オイル及び異質物が流入されることで圧縮室の圧力が増加する場合、前記旋回スクロールが円周方向に直線移動されるようになっているため、圧縮室の容積変化に能動的に対処することができるし、旋回スクロールの旋回ラップ及び固定スクロールの固定ラップの破損を防止することができるので、圧縮機の信頼性を向上し得るという効果がある。
【図面の簡単な説明】
【図１】本発明に係るスクロール圧縮機の第１実施形態の構成を示した断面図である。
【図２】図１のＢ部分を示した拡大図である。
【図３】図２のＩＩ−ＩＩ線断面図である。
【図４】本発明に係るスクロール圧縮機の第２実施形態を示した図１のＢ部分拡大断面図である。
【図５】本発明に係るスクロール圧縮機の第３実施形態を示した図１のＢ部分拡大断面図である。
【図６】本発明に係るスクロール圧縮機の第４実施形態を示した図１のＢ部分拡大断面図である。
【図７】本発明に係るスクロール圧縮機の第５実施形態を示した図１のＢ部分拡大断面図である。
【図８】本発明に係るスクロール圧縮機の第６実施形態を示した図１のＢ部分拡大断面図である。
【図９】本発明に係るスクロール圧縮機の第７実施形態を示した図２のＩＩ−ＩＩ線断面図である。
【図１０】本発明に係るスクロール圧縮機の第８実施形態を示した図１のＢ部分拡大断面図である。
【図１１】図１０のＩＩＩ−ＩＩＩ線断面図である。
【図１２】従来のスクロール圧縮機を示した断面図である。
【図１３】図１２のＡ部分を示した拡大図である。
【符号の説明】
２…ケーシング
４…駆動部
６…クランクシャフト
８…圧縮部
１０…固定子
１２…回転子
１４…メインフレーム
１６…偏心部
１８…オイル流路
２０…固定ラップ
２２…固定スクロール
２４…旋回ラップ
２６…旋回スクロール
２８…吸入管
３０…吐出管
３２…圧縮室
３４…ボス
３６…排出ホール
３８…背圧室
４０…順応部材
４２…スロット
４４…段部
４６、４６ａ…直線部
５０…シーリング
５６…フランジ部
６０、６２…リブ
６６…シーリング部材
７６…弾性体
【図１】
0003838500.tif 000002
【図２】
0003838500.tif 000003
【図３】
0003838500.tif 000004
【図４】
0003838500.tif 000005
【図５】
0003838500.tif 000006
【図６】
0003838500.tif 000007
【図７】
0003838500.tif 000008
【図８】
0003838500.tif 000009
【図９】
0003838500.tif 000010
【図１０】
0003838500.tif 000011
【図１１】
0003838500.tif 000012
【図１２】
0003838500.tif 000013
【図１３】
0003838500.tif 000014